(57)【要約】【課題】横向きの耐張碍子などを備えている引留具を取り付けた腕金を安全に、また、架線が電線の場合に、通電した状態であっても交換することができるようにした腕金交換装置を提供する。【解決手段】この腕金交換装置は、電柱１０３に固定される固定部１０と、電柱１０３から離間する方向と近接する方向とに移動可能に固定部１０に併設された可動部２０と、該可動部２０の先端側に設けられて架線１００を保持し、かつ、昇降又は伸縮可能とされた架線保持部３０と、前記耐張碍子を保持する碍子保持部４０ａ，４０ｂと、前記架線保持部３０と碍子保持部４０ａ，４０ｂとに架け渡される架橋部５０と、前記固定部１０と架橋部５０との間に架け渡され、かつ、架線保持部３０の昇降又は伸縮に合わせて昇降又は伸縮可能とされた支承部６０とを備えている。【選択図】図１
2010161834.tif 000002
【特許請求の範囲】
【請求項１】
電柱に固定され、かつ、１個又は複数個の横向きの耐張碍子の一端部に連結されたストラップが取り付けられた腕金を交換するための腕金交換装置であって、
電柱に固定される固定部と、電柱から離間する方向と近接する方向とに移動可能に固定部に併設された可動部と、該可動部の先端側に設けられて架線を保持し、かつ、昇降又は伸縮可能とされた架線保持部と、前記耐張碍子を保持する碍子保持部と、前記架線保持部と碍子保持部とに架け渡される架橋部と、前記固定部又は可動部と架橋部との間に架け渡され、かつ、架線保持部の昇降又は伸縮に合わせて昇降又は伸縮可能とされた支承部とが備えられていることを特徴とする腕金交換装置。
【請求項２】
前記架橋部は、複数の碍子保持部をそれぞれ任意の位置で支持可能とされていることを特徴とする請求項１に記載の腕金交換装置。
【発明の詳細な説明】
【技術分野】
【０００１】
本発明は、電柱に固定された腕金を交換するための腕金交換装置に関し、詳しくは、横向きの耐張碍子に連結されたストラップが取り付けられた腕金を交換するための腕金交換装置に関する。
【背景技術】
【０００２】
電線や電話線などの架線は、電柱に固定されている腕金に架設されている。この腕金を交換するための吊上げ式仮腕木が特許文献１に開示されている。
【０００３】
この吊上げ式仮腕木は、電柱に固定される固定部材と、電柱に直交して固定部材に保持される細長いアーム部材と、アーム部材に取り付けられる吊上げ部材とを備えている。吊上げ部は、電線を緊線状態のまま腕金から吊り上げるためのもので、吊り下げられた状態の吊上げベルトを巻取り・巻き戻すための巻取り部を備えている。
【０００４】
この吊上げ式仮腕木は、固定部材が腕金よりも上側の位置で電柱に固定され、アーム部材が腕金と平行に配置される。そして、アーム部材から吊り下げられた状態の吊上げベルトの先端に電線が巻き付けられ、吊上げベルトを巻き取ることによって、電線が張線状態のまま仮保持されて上昇し、碍子や腕金が交換される。
【先行技術文献】
【特許文献】
【０００５】
【特許文献１】特開平６−１５３３４３号公報
【発明の概要】
【発明が解決しようとする課題】
【０００６】
特許文献１に開示された吊上げ式仮腕木は、吊上げベルトの先端に電線を巻き付けなければならないことから、停電作業となり、電気需用者に大きな影響を与える。さらに、特許文献１に開示された吊上げ式仮腕木は、縦向きのピン碍子を固定した腕金を交換することができるものの、図１２に示すような引留具１１０を取り付けた腕金１０１を交換することができない。
【０００７】
図示した引留具１１０は、横向きの耐張碍子１１１ａ，１１１ｂが２個直列され（図示しないが、１個又は３個以上の耐張碍子が連結される場合もある。）、一方の耐張碍子１１１ａの一端部にストラップ１１２が連結され、他方の耐張碍子１１１ｂの他端部に引留クランプ（図示せず）が連結され、引留クランプがカバー１１４に覆われている。前記ストラップ１１２が腕金１０１に取り付けられ、引留クランプが電線１００を保持することによって、電線１００が電柱１０３に固定された腕金１０１に架設される。
【０００８】
このような引留具１１０は、ストラップ１１２が腕金１０１から外されると、ストラップ１１２及び耐張碍子１１１ａ，１１１ｂが垂れ下がり、作業者が負傷することがある。したがって、このような引留具１１０が取り付けられた腕金１０１は、容易に交換することができない。
【０００９】
そこで、本発明は、横向きの耐張碍子などを備えている引留具が取り付けられた腕金を安全に、また、架線が電線の場合に、通電した状態であっても交換することができるようにした腕金交換装置を提供することを課題とする。
【課題を解決するための手段】
【００１０】
本発明に係る腕金交換装置は、電柱に固定され、かつ、１個又は複数個の横向きの耐張碍子の一端部に連結されたストラップが取り付けられた腕金を交換するための腕金交換装置であって、電柱に固定される固定部と、電柱から離間する方向と近接する方向とに移動可能に固定部に併設された可動部と、該可動部の先端側に設けられて架線を保持し、かつ、昇降又は伸縮可能とされた架線保持部と、前記耐張碍子を保持する碍子保持部と、前記架線保持部と碍子保持部とに架け渡される架橋部と、前記固定部又は可動部と架橋部との間に架け渡され、かつ、架線保持部の昇降又は伸縮に合わせて昇降又は伸縮可能とされた支承部とが備えられていることを特徴としている。
【００１１】
この腕金交換装置によれば、固定部が例えば交換する腕金の下側において電柱に固定され、固定部及び可動部が耐張碍子及び架線と平行に配置され、可動部の先端側に設けられた架線保持部が架線、好ましくは被覆体を剥ぎ取って露出した心線を保持し、耐張碍子を保持した碍子保持部と架線好ましくは心線を保持した架線保持部の部分（クランプ部）とに架橋部が架け渡され、固定部又は可動部と架橋部とに架け渡された支承部が架橋部を支承することによって腕金を交換することができる。
【００１２】
すなわち、この状態から可動部を電柱側に近接させ、ストラップを介して架線から腕金に加えられているテンションをこの腕金交換装置に転換し、腕金にテンションが加えられないようにする。次に、ストラップを腕金から外し、架線保持部及び支承部を上昇又は伸長させることにより、ストラップが腕金に対峙しないようにする。このような状態において腕金を交換する。
【００１３】
そして、腕金を交換した後、架線保持部及び支承部を下降又は縮退させ、ストラップを交換された腕金と対峙させ、交換された腕金に取り付ける。最後に、架線保持部が架線を保持せず、かつ、碍子保持部が耐張碍子を保持しない状態とし、固定部を電柱から外す。
【００１４】
また、前記本発明に係る腕金交換装置において、前記架橋部は、複数の碍子保持部をそれぞれ任意の位置で支持可能とされていることが好ましい。
【００１５】
この腕金交換装置によれば、耐張碍子が複数直線状に直列されている場合において、碍子保持部が架橋部の任意の位置で支持されることにより、各碍子保持部が長さの異なる種々の耐張碍子を保持することができる。そして、各耐張碍子が各碍子保持部に保持されることにより、可動部が電柱側に近接したときにおいても、各耐張碍子は、直線状に直列された状態を維持する。
【発明の効果】
【００１６】
本発明によれば、横向きの耐張碍子に連結されたストラップが腕金に取り付けられている場合であっても、この腕金を安全に交換することができ、しかも、架線が電線の場合おいて、間接活線工具を使用して作業することができるため、停電となることがなく、電気需用者に不便を掛けないようにすることができる。
【図面の簡単な説明】
【００１７】
【図１】本発明に係る腕金交換装置の一実施形態を示す正面図である。
【図２】本発明に係る腕金交換装置の一実施形態を示す平面図である。
【図３】本発明に係る腕金交換装置の一実施形態を示し、（ａ）は図１のＡ−Ａ線断面図、（ｂ）は図１のＢ−Ｂ線断面図である。
【図４】本発明に係る腕金交換装置によって腕金を交換する第１の段階を示す正面図である。
【図５】本発明に係る腕金交換装置によって腕金を交換する第２の段階を示す正面図である。
【図６】本発明に係る腕金交換装置によって腕金を交換する第３の段階を示す正面図である。
【図７】本発明に係る腕金交換装置によって腕金を交換する第４の段階を示す正面図である。
【図８】本発明に係る腕金交換装置によって腕金を交換する第６の段階を示す正面図である。
【図９】本発明に係る腕金交換装置によって腕金を交換する第７の段階を示す正面図である。
【図１０】本発明に係る腕金交換装置によって腕金を交換する第８の段階を示す正面図である。
【図１１】本発明に係る腕金交換装置によって腕金を交換する最終の段階を示す正面図である。
【図１２】架線が引留具によって腕金に仮設された状態を示す正面図である。
【発明を実施するための形態】
【００１８】
本発明に係る腕金交換装置の一実施形態について図１ないし図１１を参照しながら説明する。この腕金交換装置は、図１２において説明した引留具１１０によって架線１００を架設した腕金１０１を交換するためのものとして使用する。
【００１９】
すなわち、この引留具１１０は、２個の直線状に直列された耐張碍子１１１ａ，１１１ｂと、電柱１０３に近い側の耐張碍子（以下、「第１の耐張碍子」という。）１１１ａの一端部に連結されたストラップ１１２と、電柱１０３から離れた側の耐張碍子（以下、「第２の耐張碍子」という。）１１１ｂの他端部に連結された引留クランプ（図示せず）と、引留クランプを覆うカバー１１４とを備えている。
【００２０】
また、耐張碍子１１１ａ，１１１ｂは、図示しないが１個のみの場合や３個以上直列される場合もあり、そして、主として磁器によって成形され、部分的に金属製芯体（採番せず）が露出している。
【００２１】
また、ストラップ１１２は、先端に貫通穴（図示せず）が設けられ、この貫通穴と腕金１０１に設けられた貫通穴とにボルト１１５などが挿通され、ナット１１６が締結されることによってストラップ１１２が腕金１０１に取り付けられる。そして、引留クランプが架線１００を保持することから、ストラップ１１２を介して架線１００から腕金１０１にテンションが加えられている。
【００２２】
このような引留具１１０は、腕金１０１の両側に配置され、架線１００を架設する。なお、架線１００は、図２において２本並列された場合が図示されているが、１本又は３本並列される場合があることはいうまでもない。
【００２３】
そして、本実施形態にける腕金交換装置は、図１ないし図３に示すように、電柱１０３に固定される固定部１０と、この固定部１０の先端側に併設された可動部２０と、可動部２０の先端側に設けられた架線保持部３０と、第１、第２の耐張碍子１１１ａ，１１１ｂをそれぞれ保持する碍子保持部４０ａ，４０ｂと、架線保持部３０と碍子保持部４０ａ，４０ｂとに架け渡される架橋部５０と、固定部１０と架橋部５０との間に架け渡される支承部６０とを備えている。
【００２４】
固定部１０は、腕金１０１の下方において電柱１０３に仮固定された仮腕金１０２に固定される。仮腕金１０２は、腕金１０１と平行に配置されている。そして、固定部１０は、基端側に仮腕金１０２を上下から挟む一対のストラップ部１１，１１を設けたものであり、先端側が引留具１１０と同一方向に向けられ、水平姿勢とされている。なお、固定部１０の先端側は、角筒状に形成されている。
【００２５】
また、可動部２０は、固定部１０を外嵌する角筒体で、電柱１０３から離間（伸長）する方向と近接（縮退）する方向とに移動できるようにされている。可動部２０を移動させるため、例えば、角筒状の固定部１０内にボールネジ２１（図３参照）などをセットしてもよい。そして、可動部２０が伸長した状態において、可動部２０の先端側に設けられた架線保持部３０が引留クランプを覆っているカバー１１４付近の架線１００の下方に位置するように可動部２０及び／又は固定部１０の長さが設定されている。
【００２６】
また、架線保持部３０は、前記可動部２０の先端側、好ましくは先端部に突設された柱状部３１と、この柱状部３１に沿って昇降動可能とされた昇降部３２とが組み合わされ、昇降部３２が昇降することによって架線保持部３０が全体として伸縮するようにされている。
【００２７】
そのため、架線保持部３０は、例えば、柱状部３１が角柱状に形成され、昇降部３２が柱状部３１を外嵌する角筒状に形成されている。ただし、架線保持部３０は、柱状部３１が角筒状に形成され、昇降部３２が柱状部３１内に挿入される角柱状に形成されてもよい。
【００２８】
いずれにしても、柱状部３１には、少なくとも１か所に係止孔３１ａが形成され、昇降部３２には、複数の係止孔３２ａが形成され、両係止孔３１ａ，３２ａにピン３４が挿通されることにより、昇降部３２が所定の位置を維持することができるようにされている。ただし、架線保持部３０は、係止孔３１ａ，３２ａとピン３４ではなく、柱状部３１の外周と昇降部３２の内周とにそれぞれ雄ネジと雌ネジを形成することによって、昇降部３２が所定の位置を維持すようにすることもできる。
【００２９】
そして、昇降部３２の上端には、架線１００を保持するクランプ部３３が設けられている。このクランプ部３３は、架線１００（好ましくは後記のように心線１００ａ）を両側から挟む挾持部３３ａと、挾持部３３ａの一方側から架線１００を押圧させ、又は挾持部３３ａの間隔を接離させる蝶ボルトなどの締付具３３ｂを備えている。さらに、クランプ部３３には、前記架橋部５０の一端部を係止する突起のような係止部３３ｃが設けられている。
【００３０】
また、碍子保持部４０ａ，４０ｂは、図３の部分拡大図にも示すように、耐張碍子１１１ａ，１１１ｂの金属製芯体を囲む一対の半円状のホルダー４１，４１がヒンジによって開閉自在とされ、閉じたホルダー４１，４１がピンなどの係止具４２によって開かないようにされている。また、一方のホルダー４１から外向きに軸４３が突設されている。ここで、第１の耐張碍子１１１ａを囲む碍子保持部４０ａを第１の碍子保持部４０ａといい、第２の耐張碍子１１１ｂを囲む碍子保持部４０ｂを第２の碍子保持部４０ｂという。
【００３１】
また、架橋部５０は、第１の耐張碍子１１１ａ、第２の耐張碍子１１１ｂ、引留めクランプを覆うカバー１１４、及び架線保持部３０のクランプ部３３に沿う長さのバー状の部材であり、第１の架橋部５１と第２の架橋部５２とが別体とならないように直列され、伸縮自在とされている。すなわち、架橋部５０は、第２の架橋部５２が筒状とされ、第１の架橋部５１の先端側が第２の架橋部５２内に挿入される。ただし、架橋部５０は、第１の架橋部５１を筒状とし、第２の架橋部５２が第１の架橋部５１内に挿入されるようにしてもよい。
【００３２】
いずれにしても、少なくとも、第１の耐張碍子１１１ａと第２の耐張碍子１１１ｂに沿う第１の架橋部５１には、第１、第２の碍子保持部４０ａ，４０ｂの軸４３，４３が係入する溝５１ａが形成されている。
【００３３】
第１の碍子保持部４０ａの軸４３が第１の架橋部５１の溝５１ａ内に係入することにより、架橋部５０がほぼ鉛直姿勢と水平姿勢とに姿勢が変えられるようにされている。また、第２の碍子保持部４０ｂの軸４３は、第１の架橋部５１の溝５１ａ内に抜き挿しできるようにされている。
【００３４】
そして、第２の架橋部５２の先端部には、前記架線保持部３０の突起のような係止部３３ｃに係止される切欠き又は小孔のような係止部５２ａが設けられている。
【００３５】
また、支承部６０は、一端部（図面において上端部）に前記第１の架橋部５１の溝５１ａに係入する軸６１が突設され、他端部（図面において下端部）から中間部又は他端部から一端部の全長に亘って多数の突起又は小孔（以下、「小孔」という。）６２，６２，…が設けられている。そして、固定部１０には、この支承部６０の小孔６２，６２，…と係合する小孔又は突起からなる係合部１２が設けられている。
【００３６】
なお、支承部６０は、一端部の軸６１が第１の架橋部５１の溝５１ａ内に係入することにより、吊り下げられた状態とされるとともに、架橋部５０が水平姿勢となったときに、他端部側の小孔６２が固定部１０の係合部１２に係合することによって、架橋部５０を支承し、かつ、架橋部５０が水平姿勢で電柱１０３側に接離することができるようにされている。
【００３７】
この腕金交換装置は、以上のように構成され、次に腕金１０１を交換する方法について説明する。なお、下記の作業は、間接活線工具を使用することができる。
【００３８】
まず、図４に示すように、引留具１１０の引留クランプを覆っているカバー１１４付近の架線１００の被覆体を剥ぎ取り、心線１００ａを露出させておく。
【００３９】
次に、図５に示すように、第１と第２の碍子保持部４０ａ，４０ｂのホルダー４１，４１が第１、第２の耐張碍子１１１ａ，１１１ｂの金属製芯体を囲み、係止具４２によって閉じた状態が維持されるようにする。各碍子保持部４０ａ，４０ｂのホルダー４１，４１が仮に耐張碍子１１１ａ，１１１ｂの磁器の部分を囲むと、磁器の部分がホルダー４１，４１に締め付けられすぎて破損することがあり得るが、ホルダー４１，４１が金属製芯体を囲むことにより、耐張碍子１１１ａ，１１１ｂが破損しないようにすることができる。
【００４０】
そして、この状態においては、架橋部５０が第１の碍子保持部４０ａの軸４３から吊り下げられ、支承部６０が第１の架橋部５１の溝５１ａの下端から吊り下げられている。なお、架橋部５０が吊り下げられた状態とされても、第２の架橋部５２が第１の架橋部５１から脱落しないようにされている。
【００４１】
次に、図６に示すように、電柱１０３に仮腕金１０２を固定し、この仮腕金１０２に固定部１０のストラップ部１１，１１を固定する。そして、固定部１０の先端側に併設された可動部２０を電柱１０３から離間する方向に移動させ、可動部２０の先端側に突設された架線保持部３０が架線１００の露出している心線１００ａの下方に位置するようにする。なお、図６に示す作業を図５に示す作業に先行してもよい。
【００４２】
次に、図７に示すように、架線保持部３０の昇降部３２を上昇させ、クランプ部３３の挾持部３３ａが架線１００の心線１００ａを挟み、締付具３３ｂによって、挾持部３３ａが架線１００の心線１００ａを把持する状態とする。また、昇降部３２がこの位置を維持するように、昇降部３２に形成された係止孔３２ａと柱状部３１に形成された係止孔３２ａとにピン３４を挿入する。
【００４３】
次に、図１に示すように、架橋部５０を水平姿勢とし、架橋部５０の係止部５２ａを昇降部３２のクランプ部３３に設けられた係止部３３ｃに係止させる。また、支承部６０の他端部側の小孔６２を固定部１０の係合部１２に係合させ、架橋部５０が支承部６０によって支承された状態とする。さらに、第２の碍子保持部４０ｂの軸４３を第１の架橋部５１の溝５１ａ内に係入させる。
【００４４】
次に、図８に示すように、可動部２０を電柱１０３の方へ例えば１〜２ｃｍ程度近接させることにより、架線１００を電柱１０３側に引き寄せ、架線１００からストラップ１１２を介して腕金１０１に加えられているテンションを架線保持部３０に転換する。架線保持部３０のクランプ部３３に設けられた挾持部３３ａが、仮に架線１００の被覆体を把持していると、被覆体と心線１００ａとが滑り、架線１００を電柱１０３側に引き寄せられないこともあり得るが、挾持部３３ａが心線１００ａを把持していることから、架線１００は確実に電柱１０３側に引き寄せられる。
【００４５】
そして、第２の碍子保持部４０ｂの軸４３が架橋部５０の溝５１ａ内に係入し、また、支承部６０が固定部１０に係合されていることから、第１と第２の耐張碍子１１１ａ，１１１ｂは、傾斜姿勢となることなく、初期の水平姿勢を維持しつつ、可動部２０及び第２の架橋部５２を電柱１０３の方へ近接させることができる。
【００４６】
次に、図９に示すように、引留具１１０のストラップ１１２を腕金１０１から外す。前記のようにストラップ１１２と腕金１０１との間にテンションが加えられていないことから、ストラップ１１２を腕金１０１に固定しているボルト１１５を容易に外すことができる。
【００４７】
次に、図１０に示すように、架橋部５０を上昇させる。そのため、架線保持部３０の昇降部３２と柱状部３１とを仮固定しているピン３４を一旦、引き抜き、昇降部３２を上昇させ、その上昇した位置の昇降部３２と柱状部３１の各係止孔３２ａ，３１ａにピン３４を挿通することにより、昇降部３２を上昇した位置に仮固定する。
【００４８】
そして、支承部６０の他端部（下端部）の小孔６２と固定部１０の係合部１２との係合を外し、支承部６０を上昇させ、その上昇した位置の支承部６０の小孔６２と固定部１０の係合部１２とを係合させる。このようにすることにより、引留具１１０を上昇させ、引留具１１０が腕金１０１と対峙しないようにする。
【００４９】
次に、図１１に示すように、腕金１０１の他方側に腕金交換装置をセットし、前記と同様の作業をすることにより、腕金１０１の他方側に配置されている引留具１１０を上昇させ、この引留具１１０が腕金１０１と対峙しないようにする。
【００５０】
このように、腕金１０１が引留具１１０のストラップ１１２に取り付けられていない状態とすることにより、腕金１０１を交換することができる。
【００５１】
腕金１０１を交換した後は、前記と逆の操作を行う。すなわち、架線保持部３０の昇降部３２及び支承部６０を下降し、引留具１１０のストラップ１１２を交換された腕金１０１に取り付ける。そして、可動部２０を伸長させ、架線保持部３０のクランプ部３３が架線１００の心線１００ａを把持しない状態とし、第１、第２の碍子保持部４０ａ，４０ｂが第１、第２の耐張碍子１１１ａ，１１１ｂを保持しない状態とする。
【００５２】
そして、固定部１０のストラップ部１１，１１を仮腕金１０２から外し、仮腕金１０２を電柱１０３から外し、仮腕金１０２も電柱１０３から外す。最後に、架線１００の露出している心線１００ａを絶縁テープなどの被覆体によって被覆することにより、一連の作業が終了する。
【００５３】
なお、本発明は、前記実施の形態に限定することなく、種々変更することができる。例えば、支承部６０の他端部（下端部）は、固定部１０でなく、可動部２０に着脱するようにしてもよい。この場合、架橋部５０は、第１の架橋部５０と第２の架橋部５０に分離されず、第１の碍子保持部４０ａの軸４３と第２の碍子保持部４０ｂの軸４３がともに、溝５１ａ内に係入される。
【００５４】
また、架線保持部３０は、柱状部３１と昇降部３２ではなく、リンク機構などによってクランプ部３３を昇降させるようにすることもできる。
【００５５】
また、前記の腕金１０１の交換方法は、一方の腕金交換装置を一方の引留具１１０に沿うように固定し、この引留具１１０のストラップ１１２を腕金１０１から外した後、他方の腕金交換装置を他方の引留具１１０に沿うように固定して、この引留具１１０のストラップ１１２を腕金１０１から外したが、両方の腕金交換装置を各引留具１１０に沿うように腕金１０１に固定した後、各ストラップ１１２，１１２を腕金１０１から連続して外すようにしてもよい。
【００５６】
また、前記の腕金１０１の交換方法は、腕金交換装置を腕金１０１の下方に配置したが、腕金１０１の上方に配置してもよい。この場合、腕金交換装置の固定部１０を腕金１０１の上側で電柱１０３に固定し、架線保持部３０及び支承部６０を下向きとして、伸長・縮退させる。
【００５７】
また、本発明の腕金交換装置は、停電とすることなく、腕金１０１を交換することができるが、状況に応じて、停電として腕金１０１を交換してもよい。
【符号の説明】
【００５８】
１０………固定部
２０………可動部
３０………架線保持部
４０ａ……碍子保持部
４０ｂ……碍子保持部
５０………架橋部
６０………支承部
１００……架線
１０１……腕金
１０３……電柱
１１１ａ…耐張碍子
１１１ｂ…耐張碍子
１１２……ストラップ
【図１】
2010161834.tif 000003
【図２】
2010161834.tif 000004
【図３】
2010161834.tif 000005
【図４】
2010161834.tif 000006
【図５】
2010161834.tif 000007
【図６】
2010161834.tif 000008
【図７】
2010161834.tif 000009
【図８】
2010161834.tif 000010
【図９】
2010161834.tif 000011
【図１０】
2010161834.tif 000012
【図１１】
2010161834.tif 000013
【図１２】
2010161834.tif 000014